(57)【特許請求の範囲】
【請求項１】
ケースと、
前記ケース内に設けられたバッテリーを取り付けるための開口部と、
前記開口部内に設けられたカード装着用凹部と、
前記カード装着用凹部に設けられ、カードをスライドさせて装着するためのカードコネクタと、
前記カードコネクタにおけるカードのスライド方向の前部に設けられたカード保持部と、
前記カード装着用凹部の底面に設けられた弾性片からなるストッパと、を備え、
前記カードの先端が前記カード保持部の後端部近くに合わせられ、前記カードが前記カード保持部に保持されていないときに、前記カードが前記ストッパを前記カード装着用凹部の底面方向に押圧し、
前記ストッパが水平にされたときに、前記カードが、前記スライド方向に沿ってスライドされることで、前記先端が前記カード保持部の下を通り抜け、前記カードが前記カード保持部に保持されるとともに、前記ストッパが前記カードの前記スライド方向と反対の端面を保持する携帯端末機。
【請求項２】
請求項１に記載の携帯端末機であって、
前記ストッパが押圧され水平にされたときに、前記カードが前記スライド方向と逆の方向にスライドされ、前記先端が前記カード保持部の下を通り抜け前記カード保持部の後端部から離れると、前記ストッパが弾性により前記カードを持ち上げる携帯端末機。
【請求項３】
請求項１又は請求項２に記載の携帯端末機であって、
前記カードコネクタは、前記カードと電気的接触を行うための接触部を前記カードのスライド方向の前後にそれぞれ一組ずつ有する携帯端末機。
【請求項４】
請求項１から請求項３のいずれか１項に記載の携帯端末機であって、
前記カード装着用凹部の側壁面により、前記カードのスライド動作をガイドする携帯端末機。
【請求項５】
請求項１から請求項４のいずれか１項に記載の携帯端末機であって、
前記カードは識別カードである携帯端末機。
【発明の詳細な説明】
【技術分野】
【０００１】
本発明は、携帯電話機等の携帯端末機に関し、特に識別カード保持構造に関す
る。
【背景技術】
【０００２】
従来、携帯電話機の識別カードであるＳＩＭ（Subscriber Identification Mo
dule：加入者識別モジュール）カード保持構造としては、図８に示すものがあっ
た。なお、以下の説明において、識別カードの装着方向を前方とする。図８にお
いて、携帯電話機のケース41の内部表面にはカード装着用凹部42が設けられてい
る。また、カードコネクタ43が配設されている。カードコネクタ43は、前後に二
列の接触部44、45を備えるとともに、二列の略中間の部位を識別カード（以下、
カードと略す）51を左右から保持する一対の保持部46を備えている。保持部46は
、金属板を折り曲げ、その一端をカードコネクタ43の左右の端部に固定したもの
で、その弾力により、装着されたカード51を保持する。
【０００３】
以上の概略構成において、カード51を装着する際には、カード51の先端を保持
部46の後端の位置に合わせ、保持部46の下側を通して、カード装着用凹部42の前
端42aの内壁面に当接するまで前方にスライドさせる。したがって、カード51の
スライド量は図にＬで示す長さとなる。カード装着用凹部42の後端42bの内壁面
は、装着後のカード51が抜けてしまうことを防止するストッパとして作用する。
これに関連する従来技術の例としては、以下のものがある。
【特許文献１】WO9813784
【特許文献２】WO9825424
【発明の開示】
【発明が解決しようとする課題】
【０００４】
しかしながら、上記カード保持構造では、カードのスライド量が長いという問
題があった。また、カード装着用凹部の後端の内壁面をストッパとして用いてい
るため、カードを取り出す際には、カードの後端側を上方に持ち上げて撓ませる
必要があった。このため、カードに機械的ストレスを加えてしまうという問題が
あった。
【０００５】
本発明はこのような問題点を解決するためになされたもので、カードのスライ
ド量を低減したカード保持構造を提供することを目的とする。また、本発明は、
カードを撓ませずに取り出すことのできるカード保持構造およびそれを備えた携
帯端末機を提供することを目的とする。
【課題を解決するための手段】
【０００６】
本発明の携帯端末機は、ケースと、前記ケース内に設けられたバッテリーを取り付けるための開口部と、前記開口部内に設けられたカード装着用凹部と、前記カード装着用凹部に設けられ、カードをスライドさせて装着するためのカードコネクタと、前記カードコネクタにおけるカードのスライド方向の前部に設けられたカード保持部と、前記カード装着用凹部の底面に設けられた弾性片からなるストッパと、を備え、前記カードの先端が前記カード保持部の後端部近くに合わせられ、前記カードが前記カード保持部に保持されていないときに、前記カードが前記ストッパを前記カード装着用凹部の底面方向に押圧し、前記ストッパが水平にされたときに、前記カードが、前記スライド方向に沿ってスライドされることで、前記先端が前記カード保持部の下を通り抜け、前記カードが前記カード保持部に保持されるとともに、前記ストッパが前記カードの前記スライド方向と反対の端面を保持するものである。
【０００７】
この構成により、カード装着用凹部の底部にカードを水平に配置した後に、水平にスラ
イドさせカード保持部とストッパで保持させること、カードを撓ませることなく、カード
に機械的ストレスを与えずにカードを装着することができる。
【発明の効果】
【０００８】
本発明は、カードのスライド方向の前部に設けたカード保持部によりカードの前部を保
持し、携帯端末機のケースのカバーの内壁面によりカードの後部を保持することにより、
カードの確実な保持とカード装着部の小型化とが可能になるという優れた効果を有するカ
ード保持構造を備えた携帯端末機を提供するものである。
【０００９】
また本発明は、カード装着部を携帯端末機のケースの内部の表面に凹設するとともに、
カード装着部の底面に一端が固定された矩形の弾性片からなるケース側ストッパを設けた
ことにより、カードを撓ませずに取り出すことが可能になるという優れた効果を有するカ
ード保持構造を備えた携帯端末機を提供するものである。
【発明を実施するための最良の形態】
【００１０】
以下、本発明の実施の形態について、図面を用いて説明する。
【実施例】
【００１１】
図１は、本発明の実施の形態の携帯電話機を説明するための図である。この図
は、携帯電話機の裏面側ケース１を示している。この裏面側ケース１には、略中
央部から下縁部にわたって、カバー兼バッテリーを取り付けるための開口部２が
形成されている。開口部２内にはカードを装着するためのカード装着用凹部３が
設けられている。カード装着用凹部３は、裏面側ケース１の長手方向と直交する
方向（図における右から左）にカードを装着することができるように、裏面側ケ
ース１の内部表面に略矩形に凹設されている。また、カード装着用凹部３におけ
るカード装着方向の中央から前方（図における左側）には、貫通孔４が形成され
ており、そこから露出するプリント基板５にカードコネクタ６が固定されている
。さらに、カード装着用凹部３の後部（図における右側）には、装着されたカー
ドが抜けてしまうことを防止するケース側ストッパ７が設けられている。
【００１２】
図２は、図１における要部の拡大図であり、図３は図１にカバー兼バッテリー
を取り付けた状態の拡大断面図である。また、図４は図３の裏面（図における下
側）から見た透視図である。図２および図３に示すように、カードコネクタ６は
、板状のベースの前後に配置された二組の接片部材９，10と、一対の保持部13と
を備えている。ベースは略長方形の平面形状を有し、カード装着方向の前縁側は
幅広に形成されている。
【００１３】
カード装着方向の後部に配列された一組三個の接片部材９は薄い金属片からな
り、その後端には携帯電話機本体のプリント基板５にハンダ付けされる接合部14
が設けられ、前端にはカードのコンタクトと接触する接触部11が設けられている
。接片部材９は、ベースのカード装着側の端面（後端面）からベースの内部にも
ぐって直進する。そして、接触部11に対応してベースに空けられた断面が矩形の
貫通孔16の壁面から露出する。さらに貫通孔16内の略中央部から上方に湾曲して
ベースの表面（上面）より高くなり、ピークを形成した後、終端まで下方に湾曲
している。つまり、接触部11は山形に湾曲し、かつカードの装着方向に終端を有
する。
【００１４】
また、カード装着方向の前部に配列された一組三個の接片部材10は薄い金属片
からなり、前端には前記携帯電話機本体のプリント基板５にハンダ付けされる接
合部15が設けられ、他端にはカードのコンタクトと接触する接触部12が設けられ
ている。接片部材10は、ベースのカード装着側と反対側の端面（前端面）からベ
ースの内部にもぐり、接触部12に対応してベースに空けられた断面が矩形の貫通
孔17の手前で左に曲がる。そして、貫通孔17に平行に直進し、貫通孔17を越えた
後に向きを反転して貫通孔17の後側壁面から露出する。さらに貫通孔17内で上方
に湾曲してベースの表面（上面）より高くなり、ピークを形成した後、終端まで
下方に湾曲している。つまり、接触部12も山形に湾曲し、かつカードの装着方向
に終端を有する。
【００１５】
ベースにおける幅広の部分に一対の保持部13が取り付けられている。保持部13
は、金属板を折り曲げ、その一端をベースの幅広の部分に固定したもので、その
弾力により、装着されたカードの前縁部の両側を保持する。
【００１６】
ケース側ストッパ７は、略矩形の弾性片からなり、その後端7bはカード装着用
凹部３の底面に固定され、かつ後端7bから前端7cに向かって僅かに斜め上方に延
設されている。後端を除くケース側ストッパ７の周囲には、切欠７ａが形成され
ている。ケース側ストッパ７は、カード装着用凹部３の底面と一体成形すること
が好適である。
【００１７】
カバー兼バッテリー８の裏面（図３の下側）には、バッテリー側ストッパ21と
、圧接部22とが設けられている。図４に示すように、バッテリー側ストッパ21は
、ほぼ正方形の平面形状を有し、カード装着用凹部３の底面におけるケース側ス
トッパ７の右隣の位置に対向するように、カバー兼バッテリー８の裏面に突設さ
れている。また、圧接部22は略長方形の平面形状を有し、カードコネクタ６の接
触部11と対向するように、カバー兼バッテリー８の裏面に突設されている。
【００１８】
次に、以上のように構成された携帯電話機におけるカードの着脱動作について
、図２〜図７を用いて説明する。ここで、図５はカードの装着を開始する状態を
示す平面図、図６はカードの装着完了状態を示す平面図、図７はカードの装着完
了状態を示す断面図である。
【００１９】
まず、図５に示すように、カード31の先端31aを保持部13の後端の近くに合わ
せるとともに、カード31の後部をケース側ストッパ７の弾力に抗してカード装着
用凹部３の底面の方向に押圧する。ケース側ストッパ７はカード31の下面に押さ
れ、その後端7bを中心に下方へ撓み、水平になる。次に、カード31を図の左方向
へスライドさせる。この時、カード31の両側端はカード装着用凹部３の側壁面に
ガイドされる。そして、図６および図７に示すように、カード31の先端31aは保
持部13の下を通り抜け、所定の位置で停止する。カード31の先端31aが所定の位
置で停止すると、後端31bはケース側ストッパ７の前端7cよりも前方に位置する
ようになるので、ケース側ストッパ７はその弾力により、後端7bを中心に上方へ
撓む。したがって、カード31の前部の両側は保持部13により保持され、その結果
、カードコネクタ６の接触部12とカード31の接触部（図示せず）との良好な接触
状態が維持される。また、ケース側ストッパ７により、カード31が後方へ抜ける
ことが防止される。さらに、この状態から、カバー兼バッテリー８を取り付ける
ことにより、圧接部22により接触部11の上側のカード31の位置を押圧し、接触部
11とカード31の接触部（図示せず）との良好な接触状態を維持する。また、バッ
テリー側ストッパ21もカード31が後方へ抜けることを防止する。
【００２０】
逆に、カード31を取り出す時には、ケース側ストッパ７を下方に押圧して水平
になるまで撓ませた後、カード31を後方へスライドさせる。カード31が図５に示
す位置まで戻ると、ケース側ストッパ７の弾力により、カード31の後部はカード
装着用凹部３の底面から持ち上げられるので、容易に取り出すことができる。
【００２１】
このように、本実施の形態では、保持部13がカードコネクタの前部に配設され
ているため、保持部がカードコネクタの中央部に配設されていた従来例と比較す
ると、カードのスライド量が短くなるので、カード装着部の小型化が可能となる
。そして、保持部を前部に配設したことによるカード後部に対する保持力の低下
を圧接部22を設けることで解決している。また、カード装着用凹部３の底面に一
端が固定された弾性片からなるストッパ７を設けることにより、カードを撓ませ
ることなく取り出すことが可能となる。
【００２２】
なお、本発明は前記実施の形態に限定されるものではなく、例えば下記（１）
、（２）のような変形が可能である。
【００２３】
（１）ケース側ストッパ７の向きを時計回りまたは反時計回りに９０度回転し
た状態に配置する。これにより、カード31の取り出し時に、カード31の後端31b
を誤ってケース側ストッパ７の下側にもぐり込ませてしまう事態を回避すること
ができる。
【００２４】
（２）カード31はその一つの角に切欠31cが形成されているので、例えば図６
の破線で囲まれた領域23にバッテリー側ストッパが対向するように構成すること
により、カード31の前後または表裏を誤って装着してしまう事態を回避すること
ができる。
【図面の簡単な説明】
【００２５】
【図１】本発明の実施の形態の携帯電話機を説明するための図、
【図２】図１における要部の拡大図、
【図３】図１にカバー兼バッテリーを取り付けた状態の拡大断面図、
【図４】図３の裏面から見た透視図、
【図５】カードの装着を開始する状態を示す平面図、
【図６】カードの装着完了状態を示す平面図、
【図７】カードの装着完了状態を示す断面図、
【図８】従来の識別カード保持構造を説明するための図である。
【符号の説明】
【００２６】
１  裏面側ケース
３  カード装着用凹部
６  カードコネクタ
７  ケース側ストッパ
８  カバー兼バッテリー
11、12  接触部
13  保持部
21  バッテリー側ストッパ
22  圧接部
31  カード
【図１】
0004558698.tif 000002
【図２】
0004558698.tif 000003
【図３】
0004558698.tif 000004
【図４】
0004558698.tif 000005
【図５】
0004558698.tif 000006
【図６】
0004558698.tif 000007
【図７】
0004558698.tif 000008
【図８】
0004558698.tif 000009